(57)【特許請求の範囲】
【請求項１】
浄化槽設置整備業者、工事業者および点検保守業者の各事業者にそれぞれ配置される設置管理装置と、前記各事業者に割り当てたユーザＩＤおよびパスワードにより各設置管理装置を認証して各設置管理装置間での情報のやり取りを行う情報中継装置とから構成され、
前記設置管理装置は、
当該設置管理装置を使用する事業者に割り当てられたユーザＩＤおよびパスワードと、浄化槽の使用者ごとに使用者および設置する浄化槽に関する情報（以下、「浄化槽設置情報」と総称す。）とを記憶する情報記憶手段と、
前記情報記憶手段に記憶する浄化槽設置情報を管理する情報管理手段と、
情報をファイル単位で前記情報中継装置に対して送信するとともに、各情報ファイルを送信する相手の事業者の前記設置管理装置に宛てた電子メールによって、受信すべき情報ファイルが前記情報中継装置に蓄積されたことを通知するものであり、前記情報記憶手段に記憶する浄化槽設置情報を、前記情報記憶手段に記憶したユーザＩＤおよびパスワードにより認証する前記情報中継装置を介して他の設置管理装置へ送信する情報送信手段と、
前記電子メールを受信することで、受信すべき情報ファイルが前記情報中継装置に蓄積されたことを検知し、画面上に通知するものであり、他の設置管理装置から送信された浄化槽設置情報を、前記情報記憶手段に記憶したユーザＩＤおよびパスワードにより認証する前記情報中継装置を介して受信する情報受信手段とを備え、
前記情報中継装置は、
各事業者に割り当てられたユーザＩＤおよびパスワードにより各事業者の設置管理装置の認証を行い、認証した各事業者の設置管理装置の情報送信手段により送信される浄化槽設置情報を一時蓄積するとともに、この一時蓄積する浄化槽設置情報を、認証した各事業者の設置管理装置へ送信するものである
浄化槽設置支援システム。
【請求項２】
前記情報管理手段は、設置者情報、使用者情報、連絡先情報および工事場所情報の入力および表示を行う使用者情報等入力表示部と、受付情報の入力および表示を行う受付情報入力表示部とを含む浄化槽情報管理画面を表示するものであり、かつ、前記使用者情報等入力表示部を表示したまま、前記受付情報入力表示部を、既設情報、スケジュール情報、書類情報、現地調査結果情報または買取情報の入力および表示を行う入力表示部へ切り換え可能とするものである請求項１記載の浄化槽設置支援システム。
【請求項３】
浄化槽設置整備業者、工事業者および点検保守業者の各事業者にそれぞれ配置される設置管理装置と、前記各事業者に割り当てたユーザＩＤおよびパスワードにより各設置管理装置を認証して各設置管理装置間での情報のやり取りを行う情報中継装置とによる浄化槽設置支援方法であって、
前記設置管理装置が、当該設置管理装置を使用する事業者に割り当てられたユーザＩＤおよびパスワードと、浄化槽の使用者ごとに使用者および設置する浄化槽に関する情報（以下、「浄化槽設置情報」と総称す。）とを情報記憶手段に記憶して管理するステップと、
前記設置管理装置が、情報をファイル単位で前記情報中継装置に対して送信するとともに、各情報ファイルを送信する相手の事業者の前記設置管理装置に宛てた電子メールによって、受信すべき情報ファイルが前記情報中継装置に蓄積されたことを通知するステップと、
各情報ファイルを受信すべき前記設置管理装置が、前記電子メールを受信することで、受信すべき情報ファイルが前記情報中継装置に蓄積されたことを検知し、画面上に通知するステップと、
前記設置管理装置が、前記情報記憶手段に記憶する浄化槽設置情報を、前記情報記憶手段に記憶したユーザＩＤおよびパスワードにより認証する前記情報中継装置を介して各情報ファイルを受信すべき他の設置管理装置へ送信するステップと、
各情報ファイルを受信すべき前記設置管理装置が、他の設置管理装置から送信された浄化槽設置情報を、前記情報記憶手段に記憶したユーザＩＤおよびパスワードにより認証する前記情報中継装置を介して受信するステップと、
前記情報中継装置が、各事業者に割り当てられたユーザＩＤおよびパスワードにより各事業者の設置管理装置の認証を行い、認証した各事業者の設置管理装置の情報送信手段により送信される浄化槽設置情報を一時蓄積するとともに、この一時蓄積する浄化槽設置情報を、認証した各事業者の設置管理装置へ送信するステップと
を含む浄化槽設置支援方法。
【発明の詳細な説明】
【技術分野】
【０００１】
本発明は、浄化槽の設置を支援するための浄化槽設置支援システムおよび浄化槽設置支援方法に関する。
【背景技術】
【０００２】
上下水道は古くから発達してきており、人社会にとって不可欠のものである。下水道については、環境の汚染を防止する意味で、今日では特に重要なものとなっている。汚水を受け入れてから処理して排水するまでの汚水処理システムとして、大都市では大規模な下水道システムが発達しているが、建物や施設が分散している地域ではコストの面から大規模な下水道を敷設するのは困難であり、分散型の浄化槽システムが使われることが多くなっている。
【０００３】
浄化槽の設置は、まず浄化槽の設置希望者が自治体または民間事業会社へ浄化槽設置の申し込みを行う。その後、民間事業会社によって現地調査が行われ、民間事業会社から工事業者へ工事の依頼が行われる。工事業者は工事計画書を作成して民間事業者へ提出し、民間事業者と設置希望者との間で工事計画書の承認や諸契約等が行われる。また、浄化槽の設置に対しては自治体から補助金が出されるので、民間事業者は設置希望者から分担金を徴収する。そして、工事計画書に従って工事業者により工事が行われ、工事完了後、検査機関による検査が行われる。設置希望者は、浄化槽の使用を開始後、使用開始届出書を提出する。その後は定期的に点検、清掃、調整などの保守が行われる。
【０００４】
本発明者は、このような個人住宅や地域の施設等の浄化槽を巡回して点検、保守、検査や清掃などの管理業務を支援するための浄化槽管理システムを開発している（例えば、特許文献１−４参照。）。これらの浄化槽管理システムでは、浄化槽を管理するに際して、委託された企業が１日で管理する複数の浄化槽の浄化槽チェックリストを作成し、浄化槽の管理を安全で確実に、かつ効率良く行うことが可能である。また、他の浄化槽管理システムとしては、例えば、特許文献５，６に記載のものが知られている。
【０００５】
【特許文献１】特開２００２−２３０１４５号公報
【特許文献２】特許第３６４９７２６号公報
【特許文献３】特開２００５−２７９４４０号公報
【特許文献４】特開２００６−１１０４８３号公報
【特許文献５】特開２００２−７６００号公報
【特許文献６】特開２００２−１４７１８号公報
【発明の開示】
【発明が解決しようとする課題】
【０００６】
前述のように、浄化槽の設置には、設置希望者、自治体、民間事業者、工事業者や検査機関などの間で様々な書類のやり取りを行う必要があり、非常に煩雑である。しかしながら、上述のように既設の浄化槽の管理を支援するシステムについては開発が進んでいるものの、浄化槽の設置を支援するシステムは未だ存在しない。
【０００７】
そこで、本発明においては、浄化槽の設置を支援するための浄化槽設置支援システムおよび浄化槽設置支援方法を提供することを目的とする。
【課題を解決するための手段】
【０００８】
本発明の浄化槽設置支援システムは、浄化槽設置整備業者、工事業者および点検保守業者の各事業者にそれぞれ配置される設置管理装置と、各設置管理装置間での情報のやり取りを行う情報中継装置とから構成され、設置管理装置は、当該設置管理装置を使用する事業者に割り当てられたユーザＩＤおよびパスワードと、浄化槽の使用者ごとに使用者および設置する浄化槽に関する情報（以下、「浄化槽設置情報」と総称す。）とを記憶する情報記憶手段と、情報記憶手段に記憶する浄化槽設置情報を管理する情報管理手段と、情報記憶手段に記憶する浄化槽設置情報を、情報記憶手段に記憶したユーザＩＤおよびパスワードにより認証する情報中継装置を介して他の設置管理装置へ送信する情報送信手段と、他の設置管理装置から送信された浄化槽設置情報を、情報記憶手段に記憶したユーザＩＤおよびパスワードにより認証する情報中継装置を介して受信する情報受信手段とを備え、情報中継装置は、各事業者に割り当てられたユーザＩＤおよびパスワードにより認証を行い、各事業者の設置管理装置の情報送信手段により送信される浄化槽設置情報を一時蓄積するとともに、この一時蓄積する浄化槽設置情報を、各事業者の設置管理装置へ送信するものである。
【０００９】
また、本発明の浄化槽設置支援方法は、浄化槽設置整備業者、工事業者および点検保守業者の各事業者にそれぞれ配置される設置管理装置と、各設置管理装置間での情報のやり取りを行う情報中継装置とによる浄化槽設置支援方法であって、設置管理装置が、当該設置管理装置を使用する事業者に割り当てられたユーザＩＤおよびパスワードと、浄化槽の使用者ごとに使用者および設置する浄化槽に関する情報（浄化槽設置情報）とを情報記憶手段に記憶して管理するステップと、設置管理装置が、情報記憶手段に記憶する浄化槽設置情報を、情報記憶手段に記憶したユーザＩＤおよびパスワードにより認証する情報中継装置を介して他の設置管理装置へ送信するステップと、設置管理装置が、他の設置管理装置から送信された浄化槽設置情報を、情報記憶手段に記憶したユーザＩＤおよびパスワードにより認証する情報中継装置を介して受信するステップと、情報中継装置が、各事業者に割り当てられたユーザＩＤおよびパスワードにより認証を行い、各事業者の設置管理装置の情報送信手段により送信される浄化槽設置情報を一時蓄積するとともに、この一時蓄積する浄化槽設置情報を、各事業者の設置管理装置へ送信するステップとを含む。
【００１０】
上記本発明の浄化槽設置支援システムおよび浄化槽設置支援方法によれば、浄化槽設置整備業者、工事業者および点検保守業者の各事業者のそれぞれに設置管理装置を配置し、各事業者にユーザＩＤおよびパスワードを割り当てて、それぞれの設置管理装置に記憶し、各事業者は、それぞれの設置管理装置により浄化槽設置情報を管理する。そして、各事業者は、各事業者間の浄化槽設置情報を各事業者のユーザＩＤおよびパスワードにより認証する情報中継装置を介して各事業者の設置管理装置間でやり取りを行う。このとき、各事業者の設置管理装置は、情報中継装置に対して各事業者に割り当てられたユーザＩＤおよびパスワードにより認証を行うことで、他の設置管理装置から各事業者の設置管理装置に対して送信された浄化槽設置情報を受信する。これにより、浄化槽設置整備業者、工事業者および点検保守業者の各事業者間で、煩雑な書類のやり取りを行うことなく、各事業者の設置管理装置間で浄化槽設置情報をやり取りすることができ、容易に浄化槽の設置を行うことが可能となる。
【００１１】
ここで、情報管理手段は、設置者情報、使用者情報、連絡先情報および工事場所情報の入力および表示を行う使用者情報等入力表示部と、受付情報の入力および表示を行う受付情報入力表示部とを含む浄化槽情報管理画面を表示するものであり、かつ、使用者情報等入力表示部を表示したまま、受付情報入力表示部を、既設情報、スケジュール情報、書類情報、現地調査結果情報または買取情報の入力および表示を行う入力表示部へ切り換え可能とするものであることが望ましい。
【００１２】
これにより、既設情報、スケジュール情報、書類情報、現地調査結果情報または買取情報について入力および表示をする際に、その浄化槽に関する基本的な情報である設置者情報、使用者情報、連絡先情報および工事場所情報が常に表示され、入力が可能な状態となっているため、これらの基本的情報を参照しながら既設情報、スケジュール情報、書類情報、現地調査結果情報または買取情報の個々の情報を管理することが可能となる。
【００１３】
また、情報送信手段は、情報をファイル単位で情報中継装置に対して送信するとともに、各情報ファイルを送信する相手の事業者の設置管理装置に宛てた電子メールによって通知するものであり、情報受信手段は、電子メールを受信することで、受信すべき情報ファイルが情報中継装置に蓄積されたことを検知し、画面上に通知するものであることが望ましい。
【００１４】
これにより、各情報ファイルが、各事業者の設置管理装置から情報中継装置に対して送信された際に、各情報ファイルが情報中継装置に蓄積されたことをそれぞれの情報ファイルを受信すべき設置管理装置が自動的に検知し、画面上に通知するので、各設置管理装置間で早期かつ確実に情報ファイルをやり取りすることが可能となる。
【発明の効果】
【００１５】
（１）設置管理装置が、当該設置管理装置を使用する事業者に割り当てられたユーザＩＤおよびパスワードと、浄化槽の使用者ごとに使用者および設置する浄化槽に関する情報（浄化槽設置情報）とを情報記憶手段に記憶して管理し、情報記憶手段に記憶する浄化槽設置情報を、情報記憶手段に記憶したユーザＩＤおよびパスワードにより認証する情報中継装置を介して他の設置管理装置へ送信し、設置管理装置が、他の設置管理装置から送信された浄化槽設置情報を、情報記憶手段に記憶したユーザＩＤおよびパスワードにより認証する情報中継装置を介して受信する構成により、浄化槽設置整備業者、工事業者および点検保守業者の各事業者間で、煩雑な書類のやり取りを行うことなく、各事業者の設置管理装置間で浄化槽設置情報をやり取りすることができ、容易に浄化槽の設置を行うことが可能となる。
【００１６】
（２）情報管理手段が、設置者情報、使用者情報、連絡先情報および工事場所情報の入力および表示を行う使用者情報等入力表示部と、受付情報の入力および表示を行う受付情報入力表示部とを含む浄化槽情報管理画面を表示するものであり、かつ、使用者情報等入力表示部を表示したまま、受付情報入力表示部を、既設情報、スケジュール情報、書類情報、現地調査結果情報または買取情報の入力および表示を行う入力表示部へ切り換え可能とするものであることによって、設置する浄化槽に関する基本的な情報である設置者情報、使用者情報、連絡先情報および工事場所情報が常に表示され、入力が可能な状態となり、これらの基本的情報を参照しながら既設情報、スケジュール情報、書類情報、現地調査結果情報または買取情報の個々の情報を管理することが可能となる。これにより、設置する浄化槽の設置者情報、使用者情報、連絡先情報および工事場所情報と、それぞれの浄化槽の既設情報、スケジュール情報、書類情報、現地調査結果情報または買取情報とを取り違えるのを防止することが可能となる。
【００１７】
（３）情報送信手段が、情報をファイル単位で情報中継装置に対して送信するとともに、各情報ファイルを送信する相手の事業者の設置管理装置に宛てた電子メールによって通知するものであり、情報受信手段が、電子メールを受信することで、受信すべき情報ファイルが情報中継装置に蓄積されたことを検知し、画面上に通知するものであることにより、各情報ファイルが、各事業者の設置管理装置から情報中継装置に対して送信された際に、各情報ファイルが情報中継装置に蓄積されたことをそれぞれの情報ファイルを受信すべき設置管理装置が自動的に検知し、画面上に通知するので、各設置管理装置間で早期かつ確実に情報ファイルをやり取りすることが可能となる。
【発明を実施するための最良の形態】
【００１８】
図１は本発明の実施の形態における浄化槽設置支援システムの全体構成図、図２は図１の設置管理装置の構成を示すブロック図、図３は図１の設置管理装置のメインメニュー画面の例を示す図である。
【００１９】
図１において、本発明の実施の形態における浄化槽設置支援システムは、浄化槽設置整備を行う浄化槽設置整備業者としてのＳＰＣ（特別目的会社）、ＳＰＣからの依頼に基づき浄化槽設置工事を行う管工事組合や水道組合等の工事業者や設置後の浄化槽の点検や保守等を行う点検保守業者等の事業者にそれぞれ配置される設置管理装置１と、ＳＰＣ、工事業者や点検保守業者等の設置管理装置１間での情報のやり取りを行う情報中継装置２とから構成される。
【００２０】
図２に示すように、設置管理装置１は、当該設置管理装置１を使用する事業者に割り当てられたユーザＩＤおよびパスワードと、浄化槽の使用者（設置希望者）ごとに使用者および設置する浄化槽に関する情報（以下、「浄化槽設置情報」と総称す。）と、各種マスタ情報等とを記憶する情報記憶手段３と、情報記憶手段３に記憶する浄化槽設置情報を管理する情報管理手段４と、情報記憶手段３に記憶する浄化槽設置情報を、情報中継装置２を介して他の設置管理装置１へ送信する情報送信手段５と、他の設置管理装置１から送信された浄化槽設置情報を、情報中継装置２を介して受信する情報受信手段６と、情報記憶手段３に記憶する各種マスタ情報を管理するマスタ管理手段７とを備える。
【００２１】
情報記憶手段３に記憶される浄化槽設置情報は、使用者情報（浄化槽の使用者を識別するＩＤとしての使用者コード、使用者名、地区、郵便番号、住所、電話番号等）、連絡先情報（郵便番号、住所、電話番号等）、浄化槽情報（浄化槽種別、建築物用途、建築物面積、処理人数、平均汚水量、処理対象、放流先、メーカ、型式、認定番号、型式適合認定番号、製造番号、処理人槽、槽全容量、処理方式、処理性能、槽容量、ブロア、スクリーン、破砕機、ポンプ等）、工事情報（工事業者、浄化槽整備士、協力工事業者、協力配管業者、撤去業者、廃棄情報、清掃業者、産廃業者等に関する情報、着工予定日、撤去工期（予定・実績）、設置工期（予定・実績）、使用開始予定日、使用開始日、施工状態等）、検査情報（工事チェックリスト、設置工事写真集、付帯工事写真集、竣工チェックリスト、工事完了報告書等）、保守情報（保守業者、技術管理者等に関する情報）、工事場所情報（工事場所名称、工事名等）、保健所／保健福祉環境事務所情報（都道府県、名称等）、受付情報（受付日、申込番号、受付区分、受付種別、受付担当者、日中の連絡先、調査希望日、住居の形態、風呂の形態、トイレの改装、工事区分等）、既設情報（既存設備、設置届出受付日、設置届出受付番号、設置場所郵便番号、設置場所住所、浄化槽管理者、処理人槽、平均汚水量、処理方式等）、スケジュール情報（申込受付日、現地調査日（現調日）、設置申請日、工事着工日、工事完了日、竣工検査日、使用開始日、工事完了届出日、使用開始届出日等の予定日や実績日等）、書類情報（調査依頼申込書、保健所や自治体等への各種提出書類、工事見積および請求書・領収書等）、現地調査結果情報（転換区分、撤去区分、仮設トイレの有無、トイレ工事の有無、付帯工事の有無等）や、買取情報（買取日、買取先等）等である。
【００２２】
情報記憶手段３に記憶される各種マスタ情報は、浄化槽のメーカ、処理方式、移流方式、ブロアの種類、スクリーンの種類、建築物用途、消毒剤名、ポンプの種類、処理対象、施設、放流先、販売元、施工業者、槽名称、清掃業者等に関する情報である。マスタ管理手段７は、図３に示すメインメニュー画面１０のマスタ管理ボタン群１６の選択により動作し、マスタ管理ボタン群１６の中で該当するボタンを選択することにより表示されるマスタ管理画面（図示せず。）によりそれぞれのマスタ情報の入力および編集を行うことが可能である。
【００２３】
図４は情報管理手段４により表示する浄化槽情報管理画面２０の例を示している。図４に示す浄化槽情報管理画面２０は、図３のメインメニュー画面１０の「設置者管理」ボタン１１を選択することにより表示される。図４に示すように、浄化槽情報管理画面２０には、左側および右側上部に設置者情報、根拠法令情報、受付番号、使用者情報、連絡先情報、工事場所情報、保健所／保健福祉環境事務所等の入力および表示を行う使用者情報等入力表示部２１が設けられている。また、この浄化槽情報管理画面２０の右側には、受付情報の入力および表示を行う受付情報入力表示部２２が設けられている。また、この受付情報入力表示部２２は、その上部の「受付」、「既設情報」、「スケジュール」、「書類」、「現調結果」および「買取」のそれぞれのタブ２２ａ，２３ａ，２４ａ，２５ａ，２６ａ，２７ａを選択することによって図４の受付情報入力表示部と図５〜図９にそれぞれ示す既設情報入力表示部２３、スケジュール情報入力表示部２４、書類情報入力表示部２５、現地調査結果情報入力表示部２６および買取情報入力表示部２７とを切り換えられるようになっている。なお、使用者情報等入力表示部２１は、どのタブ２２ａ〜２７ａが選択されているかに関わらず、常に浄化槽情報管理画面２０の左側に表示されており、使用者情報、連絡先情報や工事場所情報等の入力および表示が可能である。
【００２４】
図４に示すように、使用者情報等入力表示部２１では、設置者情報としての設置者の名称と、根拠法令情報としての浄化槽法または建築基準法の区分と、受付番号と、使用者情報としての浄化槽の使用者を識別するＩＤとしての使用者コード、使用者名、地区、郵便番号、住所、電話番号等と、連絡先情報としての郵便番号、住所、電話番号等と、工事場所情報としての工事場所名称、工事名等と、保健所／保健福祉環境事務所情報としての都道府県、名称等とを入力および表示する。受付情報入力表示部２２では、受付情報としての受付日、申込番号、受付区分、受付種別、受付担当者、日中の連絡先、調査希望日、住居の形態、風呂の形態、トイレの改装、工事区分等を入力および表示する。
【００２５】
また、図５に示すように、既設情報入力表示部２３では、既設情報としての既存設備、設置届出受付日、設置届出受付番号、設置場所郵便番号、設置場所住所、浄化槽管理者、処理人槽、平均汚水量、処理方式等を入力および表示する。図６に示すように、スケジュール情報入力表示部２４では、スケジュール情報としての申込受付日、現地調査日（現調日）、設置申請日、工事着工日、工事完了日、竣工検査日、使用開始日、工事完了届出日、使用開始届出日等の予定日や実績日等を入力および表示する。図７に示すように、書類情報入力表示部２５では、書類情報としての調査依頼申込書、保健所や自治体等への各種提出書類、工事見積および請求書・領収書等を入力および表示する。図８に示すように、現地調査結果情報入力表示部２６では、現地調査結果情報としての転換区分、撤去区分、仮設トイレの有無、トイレ工事の有無、付帯工事の有無等を入力および表示する。図９に示すように、買取情報入力表示部２７では、買取情報としての買取日、買取先等を入力および表示する。
【００２６】
また、浄化槽情報管理画面２０の下部には、浄化槽情報を入力および表示するための「浄化槽情報」ボタン３０、工事情報を入力および表示するための「工事情報」ボタン３１、検査情報を入力および表示するための「検査情報」ボタン３２、保守情報を入力および表示するための「保守情報」ボタン３３や、集金管理を行うための「集金管理」ボタン３４等が設けられている。
【００２７】
図１０は「浄化槽情報」ボタン３０を選択した際に表示される浄化槽情報を入力および表示するための浄化槽情報入力表示画面４０の例を示している。図１０に示すように、浄化槽情報入力表示画面４０では、浄化槽情報としての浄化槽種別、建築物用途、建築物面積、処理人数、平均汚水量、処理対象、放流先、メーカ、型式、認定番号、型式適合認定番号、製造番号、処理人槽、槽全容量、処理方式、処理性能、槽容量、ブロア、スクリーン、破砕機、ポンプ等に関する情報の入力および表示を行うことができる。なお、これらの浄化槽情報の項目のうち、処理人数については、「人員算定」ボタン４１を選択することにより表示される図１１の処理対象人員算定画面４３において、浄化槽を設置する建築物の用途および面積を入力することで自動的に算定される。また、平均汚水量については、図１０の「汚水量算定」ボタン４２を選択することにより表示される図１２の平均汚水量算定画面４４において、建築物の面積または処理人数を選択することで自動的に算出される。
【００２８】
なお、図１１の処理対象人員算定画面４３において入力する建築物の用途や、処理人数および平均汚水量の算定に用いられる算定式や各種定数については、予め情報記憶手段３にマスタ情報として登録される。また、図４〜図１１で示した各項目や以下で説明する各項目のいくつかも同様に、予め情報記憶手段３にマスタ情報として登録されており、入力の際にはプルダウンメニューからこのマスタ情報に登録されている内容を選択することにより各項目を入力することが可能となっている。
【００２９】
図１３は図４の「工事情報」ボタン３１を選択した際に表示される工事情報を入力および表示するための工事情報入力表示画面５０の例を示している。図１３に示すように、工事情報入力表示画面５０では、工事情報としての工事業者、浄化槽整備士、協力工事業者、協力配管業者、撤去業者、廃棄情報、清掃業者、産廃業者等に関する情報、着工予定日、撤去工期（予定・実績）、設置工期（予定・実績）、使用開始予定日、使用開始日等）、施工状態等に関する情報の入力および表示を行うことができる。なお、図１３に示すように、工事情報入力表示画面５０には、「設置」タブ５０ａと「撤去」タブ５０ｂとが設けられており、「設置」タブ５０ａを選択した場合には、工事業者、浄化槽整備士、協力工事業者および協力配管業者の入力および表示を行うことができ、「撤去」タブ５０ｂを選択した場合には、撤去業者、廃棄情報、清掃業者および産廃業者の入力および表示を行うことができるようになっている。また、この工事情報入力表示画面５０では、どちらのタブ５０ａ，５０ｂが選択されているかに関わらず、着工予定日、撤去工期（予定・実績）、設置工期（予定・実績）、使用開始予定日、使用開始日、施工状態等が表示されており、入力を行うことが可能である。
【００３０】
図１４は図４の「検査情報」ボタン３２を選択した際に表示される検査情報を入力および表示するための検査情報入力表示画面５１の例を示している。図１４に示すように、検査情報入力表示画面５１では、検査情報としての検査日、検査項目、プラカード作成、工事チェックリスト、設置工事写真集、付帯工事写真集、竣工チェックリスト、工事完了報告書、竣工チェックリスト、竣工検査結果報告書等の入力および表示を行うことが可能である。
【００３１】
図１５は図４の「保守情報」ボタン３３を選択した際に表示される保守情報を入力および表示するための保守情報入力表示画面５２の例を示している。図１５に示すように、保守情報入力表示画面５２では、保守情報としての保守業者、技術管理者等に関する情報等の入力および表示を行うことが可能である。また、図示しないが、図４の「集金管理」ボタン３４を選択した際には集金に関する情報（以下、「集金情報」と称す。）、すなわち請求先や請求金額等を管理する集金管理画面が表示される。
【００３２】
図２に戻って、情報送信手段５は、工事業者、ＳＰＣおよび保守業者のいずれかの設置管理装置１から他者の設置管理装置１に対して、情報記憶手段３に記憶されている各種帳票、工事写真や集金情報等の情報を、情報中継装置２を介して送信するものである。情報送信手段５は、図３に示すメインメニュー画面１０の「現場に送信」ボタン１２および「工事組合に送信」ボタン１４や、図１４に示す「竣工チェック完了通知」ボタン５１ａ等の選択により動作する。一方の情報受信手段６は、他者の設置管理装置１から送信された情報を、情報中継装置２を介して受信するものである。情報受信手段６は、図３に示すメインメニュー画面１０の「現場から受信」ボタン１３および「工事組合から受信」ボタン１５や、図１４に示す「使用開始直前検査報告書」ボタン５１ｂおよび「使用開始等届出書」ボタン５１ｃ等の選択により動作する。
【００３３】
ここで、情報送信手段５および情報受信手段６による情報中継装置２を介した情報のやり取りの詳細について説明する。情報中継装置２は、ＦＴＰ（File Transfer Protocol）等を使用して情報送信手段５および情報受信手段６との間で情報ファイルの送受信を行うものである。情報中継装置２は、工事業者、ＳＰＣや保守業者等の事業者単位でユーザＩＤおよびパスワードにより認証を行い、それぞれの事業者の設置管理装置１の情報送信手段５および情報受信手段６との間で情報ファイルの送受信を行う。情報送信手段５は、情報をファイル単位で情報中継装置２に対して送信し、蓄積するとともに、各情報ファイルを送信する相手の事業者の設置管理装置１に宛てた電子メールによって通知する。
【００３４】
図１６は図３に示すメインメニュー画面１０の「工事組合に送信」ボタン１４を選択した際に表示される送信画面の例を示している。この送信画面６０では、送信する情報ファイルを送信ファイル指定欄６１に複数指定するとともに、送信する相手の事業者を宛先欄６２に宛先として指定することが可能である。そして、これらの送信ファイル指定欄６１および宛先欄６２にそれぞれ指定後、実行ボタン６３を選択すると、送信ファイル指定欄６１に指定された情報ファイルが情報中継装置２へ送信されるとともに、宛先欄６２に指定された宛先へ電子メールが送信される。この電子メールには、通知先となる事業者を識別するための情報や各情報ファイルの区分等が含まれており、情報受信手段６は、この電子メールを受信することで、受信すべき情報ファイルが情報中継装置２に蓄積されたことを検知し、設置管理装置１の画面上に通知する。
【００３５】
この通知は、例えば、前述の「工事組合から受信」ボタン１５、「使用開始直前検査報告書」ボタン５１ｂや「使用開始等届出書」ボタン５１ｃの左の枠に赤色表示することにより行われる。そして、「現場から受信」ボタン１３、「工事組合から受信」ボタン１５、「使用開始直前検査報告書」ボタン５１ｂや「使用開始等届出書」ボタン５１ｃ等が選択されると、情報受信手段６は、情報中継装置２から該当する情報ファイルを受信し、情報記憶手段３へ記憶する。
【００３６】
なお、送信中の情報ファイルの状態は、図１６の送信画面６０において、「送信中」のチェックボックス６４ａまたは「反映済」のチェックボックス６４ｂのいずれか一方または両方を選択したうえで「一覧表示」ボタン６５を選択することにより確認することが可能である。状態表示欄６６には、「送信中」のチェックボックス６４ａおよび「反映済」のチェックボックス６４ｂにより指定された状態に該当するものの一覧が表示される。ここで、送信中とは、情報中継装置２に蓄積はされているが、まだ相手の設置管理装置１により受信されていない状態である。また、反映済とは、相手の設置管理装置１により受信され、相手の設置管理装置１の情報記憶手段３に情報が反映されている状態である。
【００３７】
次に、上記構成の浄化槽設置支援システムを用いた浄化槽設置手順について説明する。
まず、浄化槽の設置を希望する者（浄化槽の設置後、使用者となる者。以下、「使用者」と称する。）が市町村を介してＳＰＣへ、あるいは直接ＳＰＣへ浄化槽の設置を依頼する。このとき、使用者には、図１７に示す浄化槽設置調査依頼申込書に各項目を記入して提出してもらう。そして、ＳＰＣは、この浄化槽設置調査依頼申込書に記載された内容に基づいて、図４に示した設置管理装置１の浄化槽情報管理画面２０の使用者情報等入力表示部２１および受付情報入力表示部２２から浄化槽設置情報を入力し、浄化槽設置調査依頼を受け付ける。
【００３８】
そして、ＳＰＣは、工事業者立ち会いの下、現地調査（浄化槽の設置場所、家の間取り、面積や配管図等の確認等）を行い、現地調査で確認した事項を、図８に示した設置管理装置１の浄化槽情報管理画面２０の現地調査結果情報入力表示部２６へ入力するとともに、図１０に示した浄化槽情報入力表示画面４０の「人員算定」ボタン４１および「汚水量算定」ボタン４２から入力する。なお、これらの入力した情報は、前述のように図１６の送信画面６０から適宜工事業者の設置管理装置１へ情報中継装置２を介して送信する。
【００３９】
工事業者は、現地調査の結果に基づいて工事費用の見積りを行い、工事業者の設置管理装置１からＳＰＣの設置管理装置１へ情報中継装置２を介して見積書を送信する。送受信手順は前述と同様である。ＳＰＣは、この見積書を使用者に提出し、合意および工事の了承を得る。そして、図１８に示す正式な浄化槽設置申込書を記入して提出してもらう。
【００４０】
ＳＰＣは、浄化槽設置申込書の受付後、自治体に提出する書類に使用者から署名、捺印を取り、使用者から分担金を集金する。このとき、ＳＰＣは使用者に電子印影の使用をする旨の同意を得ておく。ＳＰＣは、使用者から提出してもらった書類を設置管理装置１へスキャナ等の情報読み取り装置（図示せず。）により取り込み、情報記憶手段３へ登録する。この登録処理は、図７に示した書類情報入力表示部２５から行う。そして、自治体による浄化槽の買取時には、この書類データを自治体へ提出する。
【００４１】
そして、ＳＰＣは、ＳＰＣの設置管理装置１から工事業者の設置管理装置１へ情報中継装置２を介して使用者の情報を送信する。工事業者は、この送信された情報に基づいて工事工程表を作成し、工事業者の設置管理装置１からＳＰＣの設置管理装置１へ情報中継装置２を介して送信する。送受信の手順は前述と同様である。ＳＰＣの設置管理装置１へ受信された工事工程表のデータは、図１３の下部の各予定に反映される。また、ＳＰＣは、設置管理装置１に受信した工事工程表をウェブサーバ（図示せず。）上に公開し、自治体が中間検査に行く際に閲覧できるようにする。
【００４２】
また、工事業者は、工事工程表を工事業者の設置管理装置１から浄化槽メーカの管理装置（図示せず。）へ送信しておき、浄化槽の工事工程に合わせて浄化槽を搬入してもらうようにする。また、浄化槽メーカは、浄化槽の型式や製造番号等を管理装置から工事業者の設置管理装置１へ送信する。なお、浄化槽メーカの管理装置は、設置管理装置１と同様に、情報中継装置２を介して設置管理装置１と情報のやり取りを行う機能を有するものであり、送受信の手順は前述と同様である。
【００４３】
なお、ＳＰＣは、浄化槽設置調査依頼申込書、浄化槽設置申込書等の書類を、図７の書類情報入力表示部２５により設置管理装置１へ入力し、情報記憶手段３に記憶する。単独処理浄化槽がある場合には、単独処理浄化槽の廃止届出書も同様に入力する。また、分担金が納付された後、ＳＰＣは、自治体（保健福祉環境事務所）に浄化槽の設置届出計画書の申請を行う。これらの書類等はすべて設置管理装置１の書類情報入力表示部２５から管理する。
【００４４】
そして、設置届出計画書が受理されると、浄化槽の設置工事の着工となる。工事業者は、工事を行いながら、設置管理装置１へ工事検査のチェックリストの入力や、デジカメで撮影した写真の登録等を行う。この入力等は、図１４の検査情報入力表示画面５１から行う。そして、工事が完了すると、工事業者は、工事業者の設置管理装置１からＳＰＣの設置管理装置１へ情報中継装置２を介して情報を送信する。送受信の手順は前述と同様である。
【００４５】
一方、ＳＰＣでは、工事が完了した分、すなわち工事業者から工事完了の情報を受信した分について、浄化槽設備士が竣工検査を実施する。竣工検査の情報は、設置管理装置１から検査端末（図示せず。）に送信し、竣工検査員はこの検査端末を用いて現場で竣工チェックリストの入力等を行う。そして、検査完了後、ＳＰＣの設置管理装置１へ送信する。
【００４６】
そして、竣工検査をパスした浄化槽は、ＳＰＣの設置管理装置１から保守業者の設置管理装置１へ情報中継装置２を介して情報を送信し、保守業者はこの受信した情報に基づいて使用開始直前検査を実施する。この検査結果は、保守業者の設置管理装置１からＳＰＣの設置管理装置１へ情報中継装置２を介して送信する。そして、ＳＰＣは、使用開始直前検査をパスした浄化槽について、設置管理装置１に蓄積している情報に基づいて自治体へ工事完了や使用開始の届けを行う。
【００４７】
以上のように、本実施形態における浄化槽設置支援システムでは、各事業者間の浄化槽設置情報のやり取りを各事業者のユーザＩＤおよびパスワードにより認証する情報中継装置２を介して各事業者の設置管理装置１間でやり取りを行うので、浄化槽設置整備業者、工事業者および点検保守業者の各事業者間で、煩雑な書類のやり取りを行うことなく、容易に浄化槽の設置を行うことが可能である。
【００４８】
また、この浄化槽設置支援システムでは、情報管理手段４が、設置者情報、使用者情報、連絡先情報および工事場所情報の入力および表示を行う使用者情報等入力表示部２１を表示したまま、受付情報、既設情報、スケジュール情報、書類情報、現地調査結果情報または買取情報の入力および表示をそれぞれ行う受付情報入力表示部２２、既設情報入力表示部２３、スケジュール情報入力表示部２４、書類情報入力表示部２５、現地調査結果情報入力表示部２６および買取情報入力表示部２７へと切り換え可能であるため、既設情報、スケジュール情報、書類情報、現地調査結果情報または買取情報について入力および表示をする際に、その浄化槽に関する基本的な情報である設置者情報、使用者情報、連絡先情報および工事場所情報が常に表示され、入力が可能な状態となっている。そのため、この浄化槽設置支援システムでは、これらの基本的情報を参照しながら既設情報、スケジュール情報、書類情報、現地調査結果情報または買取情報の個々の情報を管理することが可能であり、設置する浄化槽の設置者情報、使用者情報、連絡先情報および工事場所情報と、それぞれの浄化槽の既設情報、スケジュール情報、書類情報、現地調査結果情報または買取情報とを取り違えるのを防止することが可能である。
【００４９】
また、この浄化槽設置支援システムでは、情報送信手段５が、情報をファイル単位で情報中継装置２に対して送信するとともに、各情報ファイルを送信する相手の事業者の設置管理装置１に宛てた電子メールによって通知し、情報受信手段６が、電子メールを受信することで、受信すべき情報ファイルが情報中継装置２に蓄積されたことを検知し、画面上に通知するものであるため、各情報ファイルが、各事業者の設置管理装置１から情報中継装置２に対して送信された際に、各情報ファイルが情報中継装置２に蓄積されたことをそれぞれの情報ファイルを受信すべき設置管理装置１が自動的に検知し、画面上に通知するので、各設置管理装置１間で早期かつ確実に情報ファイルをやり取りすることが可能である。なお、各情報ファイルが情報中継装置２に蓄積されたことを検知したときに、自動的に設置管理装置１が情報ファイルを受信する構成とすることも可能である。
【産業上の利用可能性】
【００５０】
本発明の浄化槽設置支援システムおよび浄化槽設置支援方法は、浄化槽の設置を支援するための装置および方法として有用である。
【図面の簡単な説明】
【００５１】
【図１】本発明の実施の形態における浄化槽設置支援システムの全体構成図である。
【図２】図１の設置管理装置の構成を示すブロック図である。
【図３】図１の設置管理装置のメインメニュー画面の例を示す図である。
【図４】情報管理手段による浄化槽情報管理画面の例を示す図である。
【図５】図４の「既設情報」タブを選択した際に表示される既設情報入力表示部の例を示す図である。
【図６】図４の「スケジュール」タブを選択した際に表示されるスケジュール情報入力表示部の例を示す図である。
【図７】図４の「書類」タブを選択した際に表示される書類情報入力表示部の例を示す図である。
【図８】図４の「現調結果」タブを選択した際に表示される現地調査結果情報入力表示部の例を示す図である。
【図９】図４の「買取」タブを選択した際に表示される買取情報入力表示部の例を示す図である。
【図１０】図４の「浄化槽情報」ボタンを選択した際に表示される浄化槽情報入力表示画面の例を示す図である。
【図１１】図１０の「人員算定」ボタンを選択した際に表示される処理対象人員算定画面の例を示す図である。
【図１２】図１０の「汚水量算定」ボタンを選択した際に表示される平均汚水量算定画面の例を示す図である。
【図１３】図４の「工事情報」ボタンを選択した際に表示される工事情報を入力および表示するための工事情報入力表示画面の例を示す図である。
【図１４】図４の「検査情報」ボタンを選択した際に表示される検査情報を入力および表示するための検査情報入力表示画面の例を示す図である。
【図１５】図４の「保守情報」ボタンを選択した際に表示される保守情報を入力および表示するための保守情報入力表示画面の例を示す図である。
【図１６】図３に示すメインメニュー画面の「工事組合に送信」ボタンを選択した際に表示される送信画面の例を示す図である。
【図１７】浄化槽設置調査依頼申込書の例を示す図である。
【図１８】浄化槽設置申込書の例を示す図である。
【符号の説明】
【００５２】
１  設置管理装置
２  情報中継装置
３  情報記憶手段
４  情報管理手段
５  情報送信手段
６  情報受信手段
７  マスタ管理手段
１０  メインメニュー画面
１１  「設置者管理」ボタン
１２  「現場に送信」ボタン
１３  「現場から受信」ボタン
１４  「工事組合に送信」ボタン
１５  「工事組合から受信」ボタン
１６  マスタ管理ボタン群
２０  浄化槽情報管理画面
２１  使用者情報等入力表示部
２２  受付情報入力表示部
２２ａ  「受付」タブ
２３  既設情報入力表示部
２３ａ  「既設情報」タブ
２４  スケジュール情報入力表示部
２４ａ  「スケジュール」タブ
２５  書類情報入力表示部
２５ａ  「書類」タブ
２６  現地調査結果情報入力表示部
２６ａ  「現調結果」タブ
２７  買取情報入力表示部
２７ａ  「買取」タブ
３０  「浄化槽情報」ボタン
３１  「工事情報」ボタン
３２  「検査情報」ボタン
３３  「保守情報」ボタン
３４  「集金管理」ボタン
４０  浄化槽情報入力表示画面
４１  「人員算定」ボタン
４２  「汚水量算定」ボタン
４３  処理対象人員算定画面
４４  平均汚水量算定画面
５０  工事情報入力表示画面
５０ａ  「設置」タブ
５０ｂ  「撤去」タブ
５１  検査情報入力表示画面
５１ａ  「竣工チェック完了通知」ボタン
５１ｂ  「使用開始直前検査報告書」ボタン
５１ｃ  「使用開始等届出書」ボタン
５２  保守情報入力表示画面
６０  送信画面
６１  送信ファイル指定欄
６２  宛先欄
６３  実行ボタン
６４ａ，６４ｂ  チェックボックス
６５  「一覧表示」ボタン
６６  状態表示欄
【図１】
0004974831.tif 000002
【図２】
0004974831.tif 000003
【図１７】
0004974831.tif 000004
【図１８】
0004974831.tif 000005
【図３】
0004974831.tif 000006
【図４】
0004974831.tif 000007
【図５】
0004974831.tif 000008
【図６】
0004974831.tif 000009
【図７】
0004974831.tif 000010
【図８】
0004974831.tif 000011
【図９】
0004974831.tif 000012
【図１０】
0004974831.tif 000013
【図１１】
0004974831.tif 000014
【図１２】
0004974831.tif 000015
【図１３】
0004974831.tif 000016
【図１４】
0004974831.tif 000017
【図１５】
0004974831.tif 000018
【図１６】
0004974831.tif 000019